(57)【要約】ＬＥＤパネル（２）を支持するためのモジュラーサポートフレーム（１）が多くのフレームモジュール（３）を含み、少なくとも１つのフレームモジュール（３）は、ＬＥＤパネル（２）を支持するように形成され、所定の長さの少なくとも１つの縦のロッド（４、５）を含み、縦のロッド（４、５）は、少なくとも部分的に２重壁であるモジュラーサポートフレーム（１）、およびそのようなサポートフレーム（１）を含むＬＥＤウォール（２６）。
2021505788.tif 000002
【特許請求の範囲】
【請求項１】
ＬＥＤパネル（２）を支持するためのモジュラーサポートフレーム（１）が多くのフレームモジュール（３）を含み、
少なくとも１つのフレームモジュール（３）は、ＬＥＤパネル（２）を支持するように形成され、所定の長さの少なくとも１つの縦のロッド（４、５）を含み、
縦のロッド（４、５）は、少なくとも部分的に２重壁であることを特徴とするサポートフレーム（１）。
【請求項２】
縦のロッド（４、５）は内部チューブ（１０）を含み、さらに内部チューブ（１０）の周囲に配置された少なくとも１つの外部チューブ（１１）を含むことを特徴とする請求項１に記載のサポートフレーム（１）。
【請求項３】
外部チューブ（１１）は、ピン（１３）の手段により、内部チューブ（１０）にピン留めされることを特徴とする請求項２に記載のサポートフレーム（１）。
【請求項４】
縦のロッド（４）を含むフレームモジュール（３）は、少なくとも部分的に２樹壁であり、ＬＥＤパネル（２）を支持するための第１の縦のロッドから中間の距離で配置される第２の縦のロッド（５）を含むことを特徴とする請求項１〜３のいずれかに記載のサポートフレーム（１）。
【請求項５】
縦のロッド（４、５）を含むフレームモジュール（３）は、
第１の縦のロッド（４）に対して旋回可能に取り付け可能または取り付けられた少なくとも１つの第１のクロスバー（７）、
第２の縦のロッド（５）に対して旋回可能に取り付け可能または取り付けられた少なくとも１つの第２のクロスバー（８）、および、
第１のクロスバー（７）に対して旋回可能に取り付けられまたは取り付け可能で、第２のクロスバー（８）に対して旋回可能に取り付けられまたは取り付け可能な第３の縦のロッド（６）、を含むことを特徴とする請求項４に記載のサポートフレーム（１）。
【請求項６】
縦のロッド（４、５、６）とクロスバー（７、８）を含むフレームモジュール（３）に加えて、
フレームモジュール（３）の少なくとも１つの第２のフレームモジュール（３）が、ＬＥＤパネル（２）を支持するように形成され、
この第２のフレームモジュール（３）は、
第１の縦のロッド（４）、第２の縦のロッド（５）、および第３の縦のロッド（６）を含み、
この第２のフレームモジュール（３）の第１の縦のロッド（４）に旋回可能に取り付け可能または取り付けられ、このフレームモジュール（３）の第３の縦のロッド（６）に旋回可能に取り付け可能または取り付けられた少なくとも１つの第１のクロスバー（７）を含み、さらに、
この先のフレームモジュール（３）が第２のフレームモジュール（３）と隣り合って配置された場合に、この第２のフレームモジュール（３）の第２の縦のロッド（５）に旋回可能に取り付け可能なまたは取り付けられ、および縦のロッド（４、５、６）とクロスバー（７、８）を含む先のフレームモジュール（３）の第３の縦のロッド（６）に旋回可能に取り付け可能な少なくとも１つの第２のクロスバー（８）を含むことを特徴とする請求項５に記載のサポートフレーム（１）。
【請求項７】
クロスバー（７）への全ての取り付け位置において、第１の縦のロッド（４）は締め付け（１６）を含むことを特徴とする請求項５に記載のサポートフレーム（１）。
【請求項８】
クロスバー（７）への全ての取り付け位置において、第１の縦のロッド（４）は１重壁であることを特徴とする請求項７に記載のサポートフレーム（１）。
【請求項９】
クロスバー（７）への全ての取り付け位置において、クロスバー（７）を第１の縦のロッド（４）に取り付けるために、接続部材（１２）が、第１の縦のロッド（４）の内部チューブ（１０）の周囲に配置されることを特徴とする請求項２および８のいずれかに記載のサポートフレーム（１）。
【請求項１０】
接続部材（１２）の手段により、それぞれの外部チューブ（１１）が内部チューブ（１０）に取り付けられることを特徴とする請求項９に記載のサポートフレーム（１）。
【請求項１１】
それぞれのフレームモジュール（３）は、多くの第１のクロスバー（７）を含み、
それらの第１のクロスバー（７）は、このフレームモジュール（３）の第１の縦のロッド（４）および第３の縦のロッド（３）と共に、はしごを形成するような中間の距離を隔てて配置されることを特徴とする請求項５〜１０のいずれかに記載のサポートフレーム（１）。
【請求項１２】
フレームモジュール（３）の多くのフレームモジュール（３）は、少なくとも１つの縦のロッド（４、５、６）を含み、異なるフレームモジュール（３）の縦のロッド（４、５、６）は、隣のパネルを接続するために互いに接続可能であることを特徴とする請求項１〜１１のいずれかに記載のサポートフレーム（１）。
【請求項１３】
ロッド（４、５、６、７、８）の少なくとも一部は、アルミニウムまたはカーボンファイバを含む合成物から形成されることを特徴とする請求項１〜１２のいずれかに記載のサポートフレーム（１）。
【請求項１４】
それぞれのフレームモジュール（３）は、第１の取り付け手段（２４）と第２の取り付け手段（２５）を含み、
第１のフレームモジュール（３）の第１の取り付け手段（２４）は、第２の隣り合ったフレームモジュール（３）の第２の取り付け手段（２５）に調整可能に取り付け可能であり、
第１のフレームモジュール（３）と第２のフレームモジュール（３）は、それらの取り付け手段（２４、２５）により、互いに対して異なる角度で相互に接続可能であることを特徴とする請求項１〜１３のいずれかに記載のサポートフレーム（１）。
【請求項１５】
サポートフレーム（１）と多くのＬＥＤパネル（２）とを含むＬＥＤウォール（２６）であって、
サポートフレーム（１）は、請求項１〜１４のいずれかに記載のサポートフレーム（１）であることを特徴とするＬＥＤウォール（２６）。
【発明の詳細な説明】
【技術分野】
【０００１】
本発明は、多くのフレームモジュールを含むＬＥＤパネル支持用のモジュラーサポートフレームに関し、少なくとも１つのフレームモジュールはＬＥＤパネルを支持するように形成され、少なくとも１つの固定された長さの縦のロッドを含む。加えて、本発明は、そのようなサポートフレームを含むＬＥＤウォールに関する。
【背景技術】
【０００２】
本発明が関連するサポートフレームは、一般に、例えばフェスティバルのようなイベント中に、例えばＬＥＤウォールの形で、ＬＥＤパネルを一時的に立てるために使用される。ＬＥＤパネルおよび／または他のパネルおよび／または照明および／または電子器機等は、そのようなイベントの装飾として、サポートフレームに取り付けられる。
【０００３】
この目的のために、そのようなサモジュラーポートフレームは、一方で、輸送の観点から軽量で、素早く立てられなければならない。他方で、通常の負荷を吸収するために、十分に強くなければならない。外部の環境の中にそれらが配置された場合、そのようなフレームは、特に風の負荷を吸収できなければならない。
【０００４】
この強度を確実にするために、縦のロッドは一定の長さで形成される。一定の長さの縦のロッドは、この縦のロッドは入れ子式ではなく、それゆえに引っ込めや拡張ができないことを意味するものと理解される。明らかに、この長さは、負荷または天候状態（温度変化）を考慮して変えても良い。
【０００５】
そのようなモジュラーサポートフレームの例が、例えばＣＮ２０６２２１９２７Ｕに開示されている。
【発明の概要】
【０００６】
本発明の目的は、このフレームおよびそれを用いて立てたウォールの剛性を大きくできる手段により、同じ寸法で、かつこれ達成するためにフレームが十分に重くなること無く、そのようなモジュラーサポートフレームを提供することである。
【０００７】
この目的は、ＬＥＤパネルを支持するためのモジュラーサポートフレームを提供することにより達成され、このモジュラーサポートフレームは、多くのフレームモジュールを含み、少なくとも１つのフレームモジュールは、ＬＥＤパネルを支持するように形成され、少なくとも部分的に２重壁の所定の長さの少なくとも１つの縦のロッドを含む。
【０００８】
そのような縦のロッドを少なくとも部分的に２重壁にすることにより、同じ長さのそのようなサポートフレームで、負荷がかかった場合に、このフレームの曲がりをより少なくすることが可能である。そのような２重壁の縦のロッドを用いない同様のサポートフレームより高い構造的剛性が達成される。
【０００９】
縦のロッドの内壁は、構造的な引っ張り要素として提供され、それゆえに安全の観点で、縦のロッドの最も重要な構造的要素である。この内壁は、縦のロッドの外壁により、追加的に保護される。この結果、外部の衝撃は、内壁にたやすく損傷を与えない。
【００１０】
そのような２重壁の縦のロッドの壁は、必要な強度を保証できるように、互いに固定されて配置される。この目標のために、縦のロッドは、特に、内部チューブを含んでも良く、この内部チューブの周囲に配置される少なくとも１つの外部チューブを含んでも良い。好適には、これらのチューブはこの場合は円柱状である。しかしながら、それらは、多角形の断面のような、円形の断面とは異なる断面を有しても良い。
【００１１】
そのような外部チューブは、そのような内部チューブの周囲に異なる方法で配置されても良い。例えば、環状の、円筒形の、またはらせん状の中間部品が、双方のチューブの間に配置することも可能である。双方のチューブは、例えば、同じ末端部品に接続されても良い。内部チューブの周囲に接続部品を配置し、それに外部チューブが取り付けられることも可能である。
【００１２】
好適には、外部チューブは、内部チューブに固定される。特に、外部チューブは、この目的のために、例えばピンの手段により、内部チューブにピン留めされても良い。代わりに、双方のチューブは、例えば押し出し加工の手段により同時に形成され、実質的に２重壁のロッドを形成しても良い。
【００１３】
縦のロッドを含むフレームモジュールは、好適には少なくとも部分的に２重壁であり、ＬＥＤパネルを支持するために、第１の縦のロッドから中間の距離に配置された第２の縦のロッドを含む。この場合、それらの縦のロッドは、好適には、そのようなパネルの裏側に取り付け可能である。
【００１４】
それらの縦のロッドは、好適には、例えばクロスビームにより互いに接続される。それらのクロスビームは、実質的にロッド形状であるが、例えば実質的に板状および／または例えば格子げたの形状でも良い。
【００１５】
縦のロッドおよびクロスビームは、実質的に同じ平面内に延びても良く、この場合は例えば一緒にフレームを形成する。それらの縦のロッドおよびクロスビームは、また、格子の一部を形成しても良い。そのような格子は、追加のクロスバーと縦のロッドを含み、上述の縦のロッドおよびクロスビームと一緒に、３次元構造を形成するように組み立てられても良い。
【００１６】
第１の縦のロッドと第２の縦のロッドとを含むフレームモジュールは、好適には、第１の縦のロッドに対して旋回可能に取り付け可能または取り付けられた少なくとも１つの第１のクロスバー、第２の縦のロッドに対して旋回可能に取り付け可能または取り付けられた少なくとも１つの第２のクロスバー、および第１のクロスバーに対して旋回可能に取り付けられまたは取り付け可能で、第２のクロスバーに対して旋回可能に取り付けられまたは取り付け可能な第３の縦のロッド、を含む。
【００１７】
クロスバーおよび縦のロッドを旋回可能に取り付け可能にすることにより、折り畳み可能な構造の提供が可能となる。この場合、ロッドは、好ましくは、少なくともこの目的のためによく考慮された取り付けポイントにおいて、取り外しできるように取り付け可能である。フレームモジュールは、移動のために折り畳まれても良い。その手段で壁を立てるために、フレームモジュールは折り畳み式でも良く、この場合、３次元構造を形成するために、クロスバーはそれぞれの縦のロッドに取りつけられる。据え付けられた位置では、第３の縦のロッドは、第１の縦のロッド、第２の縦のロッド、および例えばフレームモジュールに取り付けられたパネルから、中間の距離に配置される。
【００１８】
更なる好適な具体例は、縦のロッドとクロスバーを含むフレームモジュールに加えて、フレームモジュールの少なくとも１つの第２のフレームモジュールが、ＬＥＤパネルを支持するように形成され、この第２のフレームモジュールは、第１の縦のロッド、第２の縦のロッド、および第３の縦のロッドを含み、この第２のフレームモジュールの第１の縦のロッドに旋回可能に取り付け可能または取り付けられ、このフレームモジュールの第３の縦のロッドに旋回可能に取り付け可能または取り付けられた少なくとも１つの第１のクロスバーを含み、さらに、この先のフレームモジュールが第２のフレームモジュールと隣り合って配置された場合に、第２のフレームモジュールの第２の縦のロッドに旋回可能に取り付け可能なまたは取り付けられて、および縦のロッドとクロスバーを含む先のフレームモジュールの第３の縦のロッドに旋回可能に取り付け可能な少なくとも１つの第２のクロスバーを含む。
【００１９】
特に好適な具体例では、それぞれのクロスバーへの取り付け位置において、第１の縦のロッドは、クロスバーを取り付けるために締め付けを含み、第１の縦のロッドは、好適には、この締め付けの位置で、１重壁である。好適には、第２の縦のロッドの締め付けも類似である。好適には、任意の第３の縦のロッドの締め付けも類似である。
【００２０】
クロスバーへの１つまたは多くの取り付けに加えて、第１の縦のロッドは、好適には２重壁部分を含み、クロスバーはそれらの取り付け位置において１重壁になる。
【００２１】
内部チューブおよび外部チューブを含む縦のロッドを含む縦のロッドでは、内部チューブは縦のロッドの全長をこえて延び、一方、様々な外部チューブは、この内部チューブの周囲およびクロスバーを取り付けない内部チューブの一部の周囲に配置される。
【００２２】
内部チューブと少なくとも１つの外部チューブとを備えた第１の縦のロッドを含む具体例では、締め付けの位置で、クロスバーへのそれぞれの取り付け位置で、接続部材は、このクロスバーをこの第１の縦のロッドに取り付けるために、第１の縦のロッドの内部チューブの周囲に配置されるのが好ましい。第１の縦のロッドのそれぞれの外部チューブは、接続部材と同じ手段により、内部チューブに取り付けられる。
【００２３】
好適には、それぞれの第２の縦のロッドは、また、同様の方法で組み立てられる。それぞれの第３の縦のロッドも、また、同様の方法で組み立てられる。
【００２４】
そのような第１のクロスバーを備えた本発明にかかるフレームモジュールの第１のクロスバーは、第１の縦のロッドおよび第３の縦のロッドと共に、はしごを形成するような中間の距離を隔てるように配置されるのが好ましい。
【００２５】
好適には、フレームモジュールの多くのフレームモジュールは、少なくとも１つの縦のロッドを含み、異なるフレームモジュールの縦のロッドは、隣り合ったフレームモジュールを相互に接続するために、それぞれ互いに接続可能である。互いに接続可能になるように第１の縦のロッドを形成し、および／または互いに接続可能になるように第２の縦のロッドを形成し、および／または互いに接続可能になるように第３の縦のロッドを形成することが可能である。隣り合ったフレームモジュールの縦のロッドを互いに接続することにより、それらのフレームモジュールは、強い構造を形成するために組み立てることができる。接続後に、接続された縦のロッドが、互いに沿って延びるのが好ましい。
【００２６】
この場合、それらの縦のロッドは、異なる方法で互いに接続しても良い。縦のロッドは、例えば、類似の縦のロッドの間でピン−ホール接続を形成するために、第１の端部にピンを備え、第２の端部にホールを備えても良い。
【００２７】
代わりに、縦のロッドは、例えば、類似の縦のロッドの間でねじ接続を形成するために、第１の端部に外部のねじ山を備え、第２の端部に対応する外部のねじ山を備えた固定スリーブを備えても良い。
【００２８】
本発明にかかるサポートフレームのロッドは、金属またはプラスチックのような、適した材料から形成されても良い。好適には、それらのロッドの少なくとも一部は、サポートフレームを特に軽量にするために、アルミニウムまたはカーボンファイバを含む合成物から形成される。
【００２９】
本発明にかかるサポートフレームのそれぞれのフレームモジュールは、第１の取り付け手段と第２の取り付け手段とを含み、第１のフレームモジュールの第１の取り付け手段は、第２の隣り合ったフレームモジュールの第２の取り付け手段に調整可能に取り付け可能であり、第１のフレームモジュールと第２のフレームモジュールは、それらの取り付け手段により互いに対して異なる角度で相互に接続可能である。
【００３０】
そのような取り付け手段の例は、例えば、ＣＮ１０４２９９５２７Ａ、ＣＮ２０４９９１０１９Ｕ、およびＣＮ２０３４８２５４２Ｕから知ることができる。
【００３１】
そのような取り付け手段により、凸状または凹状の壁を共に形成するように、サポートフレームの相互接続が可能となる。そこ取り付けられたＬＥＤパネルは、凸状または凹状のＬＥＤ壁を共に形成する。
【００３２】
本発明の目的は、さらにまた、本発明にかかる上述のサポートフレームとこのサポートフレームに取り付けられた多くのＬＥＤパネルを含む、ＬＥＤパネルを提供することにより達成される。
【００３３】
本発明にかかるいくつかの好適なサポートフレームの以下における詳細な記載の手段により、本発明はより詳細に説明されるであろう。この記載の単独の目的は、実例となる例を与え、本発明のさらなる長所および特徴を示すことであり、これにより発明の出願または請求の範囲で規定された特許権の範囲を限定するものとして解釈すべきではない。
【図面の簡単な説明】
【００３４】
本詳細な記載において、参照番号は、添付の図面を参照して使用される。
【００３５】
【図１】本発明にかかるＬＥＤウォールを、背後に配置されたサポートフレームから見た遠近法により示す。
【図２】本発明にかかるサポートフレームのフレームモジュールを、分離された正面図で示す。
【図３】本発明にかかるサポートフレームの縦のロッドの一部を、より詳細に断面図で示す。
【図４】図１のサポートフレームのフレームモジュールを、分離した側面図で示す。
【図５】図１のサポートフレームのフレームモジュールを、分離した上面図で示す。
【図６】図１のサポートフレームの多くのフレームモジュールが、第１の方法で相互に接続できる場合の上面図を示す。
【図７】図１のサポートフレームの多くのフレームモジュールが、第２の方法で相互に接続できる場合の上面図を示す。
【図８】本発明にかかるサポートフレームの２つのフレームモジュールを相互に接続するための取り付け手段の斜視図を示す。
【図９】図８の取り付け手段により２つのフレームモジュールが凸状に相互接続できる場合の上面図である。
【図１０】図８の取り付け手段により２つのフレームモジュールが凹状に相互接続できる場合の上面図である。
【発明を実施するための形態】
【００３６】
図示されたサポートフレーム（１）は、ＬＥＤパネル（２）を支持するためにそれぞれ形成された多くのフレームモジュール（３）を含む。図１において、そのようなフレームモジュール（３）はサポートフレーム（１）を形成するために組み立てられ、ＬＥＤパネル（２）がそこに取り付けられて、共にＬＥＤウォール（２６）を形成する。代わりにまたは追加で、他のパネルおよび／または照明および／または電子器機等がそれらのフレームモジュール（３）に取り付けられても良い。それらのフレームモジュール（３）は、空のままでも良く、壁を形成するためにそのように組み立てられても良い。
【００３７】
それぞれの図示されたフレームモジュール（３）は、第１の縦のロッド（４）と第２の縦のロッド（５）を含み、これらは上部と底部でクロスビーム（９）に取り付けられ、それらと共にフレームを形成する。上部のクロスビーム（９）と底部のクロスビーム（９）は、実質的に板状の格子として形成される。この上部のクロスビーム（９）とこの底部のクロスビーム（９）の間で、２つの追加のクロスビーム（２３）が、第１の縦のロッド（４）と第２の縦のロッド（５）に取り付けられる。一方で、サポートフレーム（１）を対応するＬＥＤパネル（２）に取り付けるための取り付け手段を用いて、他方で、横方向の相互にフレームモジュール（３）を接続するための取り付け手段（２４、２５）を用いて、それらの中間のクロスビーム（２３）が形成される。これについては更に後述する。
【００３８】
第１の縦のロッド（４）と第２の縦のロッド（５）は、２重壁である。示された具体例では、それらの縦のロッド（４、５）は、この目的にために、この縦のロッド（４、５）の長さに沿って実質的に延びる内部チューブ（１０）を含む。多くの接続部材（１２）は、この内部チューブ（１０）の上に配置される。それらの接続部材（１２）の手段により、それぞれの縦のロッド（４、５）の多くの外部チューブ（１１）は、この縦のロッド（４、５）の内部チューブ（１０）の周囲に取り付けられる。円筒形のベース本体の端部で、それらのこの端部への接続部材（１２）は、それらのフランジ（２１）に対して持ち上げられる横向きのフランジ（２１）とエッジ（２２）を含む。図３に示すように、この持ち上げられたエッジ（２２）は、それぞれの外部チューブ（１１）に対してぴったり合わされ、外部チューブ（１１）は横向きのフランジ（２１）に接触する。図２、４から分かるように、縦のロッド（４、５）の端部で、外部チューブ（１１）は、ピン（１３）の手段により、内部チューブ（１０）にピン留めされる。
【００３９】
内部チューブ（１０）と外部チューブ（１１）は、例えば、アルミニウムまたはカーボンファイバを含む合成物から形成されても良い。接続部材（１２）は、例えば、プラスチックから形成されても良い。
【００４０】
第１の縦のロッド（４）、第２の縦のロッド（５）、およびクロスビーム（９、２３）は、そのようにフレームモジュール（３）を形成しても良い。しかしながら、加えて、フレームモジュール（３）は、追加のロッド（６、７、８）のような、追加の要素を含んでも良い。このように、図１、４〜７に示すように、フレームモジュール（３）は、３次元の格子形状の構造を形成するように作製される。
【００４１】
接続部材（１２）は、第１の縦のロッド（４）と第２の縦のロッド（５）の中に狭い部分（１６）を形成する。第１の縦のロッド（４）の接続部材（１２）の周囲に、固定クランプ（１４）が配置され、この手段により、第１のクロスバー（７）が旋回可能なように第１の縦のロッド（４）に取り付けられる。それらの第１のクロスバー（７）の他端では、第２の固定クランプ（１４）が、同様の第３の縦のロッド（６）の接続部材（１２）の周囲にも配置され、それらの第１のクロスバー（７）をこの第３の縦のロッド（６）に旋回可能に取り付ける。この場合、第１のクロスバー（７）は、図４の示すように、第１の縦のロッド（４）と第３の縦のロッド（６）と共にはしごを形成するように、中間の距離だけ離れて配置される。それらの手段により立つサポートフレーム（１）は、このはしごの手段で固定できる。
【００４２】
同様に、固定クランプ（１４）は第２の縦のロッド（５）の接続部材（１２）の周囲に配置され、その手段により第２のクロスバー（８）が、第２の縦のロッド（５）の上に旋回可能に配置される。他端において、開いた第２の固定クランプ（１５）がそれらの第２のクロスバー（８）の上に配置され、これは第３の縦のロッド（６）の接続部材（１２）の周囲にカチッと取り付けられ、取り外し可能なように、旋回可能に、第２のクロスバー（８）を第３の縦のロッド（６）に取り付ける。
【００４３】
もし、第２のクロスバー（８）の上の第２の固定クランプ（１５）が離れた場合、クロスバー（７、８）および第３の縦のロッド（６）は、第１の縦のロッド（４、５）およびクロスビーム（９、２３）に向かって折り畳まれて、フレームモジュール（３）は、コンパクトな方法で運搬可能になる。ウォールが望まれる位置では、クロスバー（７、８）および第３の縦のロッド（６）が、第１の縦のロッド（４、５）およびクロスビーム（９、２３）から離れて折り畳まれて、３次元の構造を形成する。第２のクロスバー（８）の上の第２の固定クランプ（１５）は、図５、６に示すように、同じフレームモジュール（３）の第３の縦のロッド（６）にカチッと接続され、または図７に示すように、隣のフレームモジュール（３）の第３の縦のロッド（６）にカチッと接続されても良い。
【００４４】
異なるフレームモジュール（３）を含むウォールを立てるために、それぞれの縦のロッド（４、５、６）は、互いに接続可能に形成され、様々なそのようなフレームモジュール（３）が、上下に取り付け可能となる。この目的のために、第１の縦のロッド（４）と第２の縦のロッド（５）は、それらの上側のピン（１９）と、その底側の対応するホール（２０）とを備える。それらの縦のロッド（４、５）のピン（１９）は、対応する縦のロッド（４、５）のホール中に適合し、それらの縦のロッド（４、５）を上下に取り付ける。
【００４５】
底部では、第３の縦のロッド（６）が、外部のねじ山（１７）を備える。上側では、対応する内部のねじ山（１８）を有する固定スリーブ（１８）が提供される。第３の縦のロッド（６）の固定スリーブ（１８）は、このように、後者の上に配置された第３の縦のロッド（６）の対応するねじ山（１７）の上にねじ回転して、それらの第３の縦のロッド（６）を上下に取り付けても良い。
【００４６】
それらの縦のロッド（４、５、６）の手段により、図１に示すように、サポートフレーム（１）は、表面の上に広がる。アセンブリを持ち上げられるように、ケーブルが上部フレームモジュール（３）のクロスビーム（９）に取り付けられても良い。
【００４７】
ウォールを立てるための、横方向の相互に接続できるような方法で様々なフレームモジュール（３）を形成するために、それぞれのフレームモジュール（３）は、第１の横側の上の第１の取り付け手段（２４）と、第２の横側の上の第２の取り付け手段（２５）を含んでも良い。図８〜１０に示すように、それらの取り付け手段（２４、２５）の手段により互いに異なる角度で、第１のフレームモジュール（３）と第２のフレームモジュール（３）が互いに接続される方法で、第１のフレームモジュール（３）の第１の取り付け手段（２４）は、第２のフレームモジュール（３）の取り付け手段（２５）に、調整可能に取り付け可能である。
【００４８】
フレームの１ｍ２あたり１０ｋｇより少なく、３０メートルの高さまでのウォールが、図１に示すフレームモジュール（３）を用いて、室内および屋外の双方に立てることができる。
【図１】
2021505788.tif 000003
【図２】
2021505788.tif 000004
【図３】
2021505788.tif 000005
【図４】
2021505788.tif 000006
【図５】
2021505788.tif 000007
【図６】
2021505788.tif 000008
【図７】
2021505788.tif 000009
【図８】
2021505788.tif 000010
【図９】
2021505788.tif 000011
【図１０】
2021505788.tif 000012
【国際調査報告】
2021505788.tif 000013
2021505788.tif 000014
2021505788.tif 000015